(57)【特許請求の範囲】
【請求項１】
上方付勢状態で下方移動自在に配設されたステム、前記ステムの上下動に連係するピストン、内側に前記ピストンが上下摺動自在に嵌合され内容液が収容された容器本体内に配設されるシリンダ、及び、前記ステムの上端部に取り付けられ、かつ前記内容液を吐出する吐出孔が形成された吐出ヘッドを備えると共に、前記容器本体内と外部とを連通する外気導入路が形成された吐出器に装着されて用いられ、前記吐出器の正立時及び倒立時の双方で、前記シリンダ内の負圧時に、前記シリンダ内に前記内容液を供給する正倒立両用アダプタであって、
内側に前記シリンダが嵌合される本体筒部と、
前記外気導入路を通した前記容器本体内と外部との連通を開放自在に遮断する筒状の外気導入弁と、
を備え、
前記本体筒部には、
前記容器本体の底部に向けて開口し、前記吐出器の正立時に前記容器本体内の前記内容液を導入可能な正立時導入孔と、
前記正立時導入孔よりも上方に配設され、かつ前記吐出器の倒立時に前記容器本体内の前記内容液を導入可能な倒立時導入孔と、
前記正立時導入孔及び前記倒立時導入孔と前記シリンダの下端開口部とを連通する連通路と、
が形成され、
前記吐出器の正立時に、前記倒立時導入孔と前記連通路との連通を遮断し、かつ、前記吐出器の倒立時に、前記倒立時導入孔と前記連通路とを連通する切替弁が配設されており、
前記外気導入弁が、前記本体筒部に外嵌され、
前記外気導入弁には、上下方向に弾性変形可能に形成されると共に、前記吐出器に設けられかつ下方を向く弁座面に対して下方に向けて離反自在に当接し、前記外気導入路と容器本体内との連通を開放自在に遮断する弁部が設けられていることを特徴とする正倒立両用アダプタ。
【請求項２】
前記弁座面が、前記シリンダに上下方向に直交する径方向外側に突出するように備え付けられたパッキンの下面、または、前記シリンダに前記径方向外側に突出するように設けられた被支持部の下面であることを特徴とする請求項１に記載の正倒立両用アダプタ。
【発明の詳細な説明】
【技術分野】
【０００１】
本発明は、正倒立両用アダプタに関する。
【背景技術】
【０００２】
従来から、内容液を吐出する吐出器に装着されて用いられ、この吐出器の正立時及び倒立時の双方で、吐出器におけるシリンダ内の負圧時に、シリンダ内に内容液を供給する正倒立両用アダプタが知られている（例えば、特許文献１参照）。
ここで吐出器には、容器本体内の内容液をシリンダ内に供給するのに伴い、外気を容器本体内に導入する外気導入路が形成されており、この外気導入路を通して、吐出器の倒立時に容器本体内の内容液が外部に漏出するのを防ぐために、正倒立両用アダプタに外気導入路を通した容器本体内と外部との連通を開放自在に遮断する外気導入弁が備えられている。
【先行技術文献】
【特許文献】
【０００３】
【特許文献１】特開２０１４−２１３９４３号公報
【発明の概要】
【発明が解決しようとする課題】
【０００４】
かしながら、従来では、正倒立両用アダプタの本体筒部及び外気導入弁を個別に吐出器に装着する必要があり、セット性を向上させることに改善の余地があった。
【０００５】
本発明は、前述の課題に鑑みてなされたもので、吐出器に対するセット性を向上させた正倒立両用アダプタを提供することを目的とする。
【課題を解決するための手段】
【０００６】
本発明は、上記のような課題を解決するために以下のような手段を採用した。すなわち、本発明の正倒立両用アダプタは、上方付勢状態で下方移動自在に配設されたステム、前記ステムの上下動に連係するピストン、内側に前記ピストンが上下摺動自在に嵌合され内容液が収容された容器本体内に配設されるシリンダ、及び、前記ステムの上端部に取り付けられ、かつ前記内容液を吐出する吐出孔が形成された吐出ヘッドを備えると共に、前記容器本体内と外部とを連通する外気導入路が形成された吐出器に装着されて用いられ、前記吐出器の正立時及び倒立時の双方で、前記シリンダ内の負圧時に、前記シリンダ内に前記内容液を供給する正倒立両用アダプタであって、内側に前記シリンダが嵌合される本体筒部と、前記外気導入路を通した前記容器本体内と外部との連通を開放自在に遮断する筒状の外気導入弁と、を備え、前記本体筒部には、前記容器本体の底部に向けて開口し、前記吐出器の正立時に前記容器本体内の前記内容液を導入可能な正立時導入孔と、前記正立時導入孔よりも上方に配設され、かつ前記吐出器の倒立時に前記容器本体内の前記内容液を導入可能な倒立時導入孔と、前記正立時導入孔及び前記倒立時導入孔と前記シリンダの下端開口部とを連通する連通路と、が形成され、前記吐出器の正立時に、前記倒立時導入孔と前記連通路との連通を遮断し、かつ、前記吐出器の倒立時に、前記倒立時導入孔と前記連通路とを連通する切替弁が配設されており、前記外気導入弁が、前記本体筒部に外嵌され、前記外気導入弁には、上下方向に弾性変形可能に形成されると共に、前記吐出器に設けられかつ下方を向く弁座面に対して下方に向けて離反自在に当接し、前記外気導入路と容器本体内との連通を開放自在に遮断する弁部が設けられていることを特徴とする。
【０００７】
この発明では、外気導入弁が本体筒部に外嵌されているので、正倒立両用アダプタを吐出器に装着させるに際して、本体筒部及び外気導入弁が組み付けられた正倒立両用アダプタの全体を移動させることが可能となり、優れたセット性を具備させることができる。
また、外気導入弁の弁部が上下方向に弾性変形可能に形成されていると共に、吐出器の備える下方に向く弁座面に対して下方に向けて離反自在に当接しているので、弁部によって、外気導入路を通した容器本体内と外部との連通の遮断を容易かつ確実に行える。
ここで、このような正倒立両用アダプタを装着した吐出器では、まず、吐出器の正立時及び倒立時に、ステム及びピストンをシリンダに対して押し込んでシリンダ内を正圧にすると、シリンダ内の内容液がステム内を上昇し吐出ヘッドの吐出孔から吐出される。
その後、ステム及びピストンをシリンダに対して復元移動させ、シリンダ内を負圧にすると、吐出器の正立時には、切替弁が倒立時導入孔と連通路との連通を遮断しているので、容器本体内の内容液は、正立時導入孔及び連通路を通してシリンダの下端開口部に到達してシリンダ内に流入する。
一方、吐出器の倒立時には、容器本体内の底部に開口する正立時導入孔が容器本体内の内容液の液面から突出しかつ倒立時導入孔と連通路とが連通するので、容器本体内の内容液は、倒立時導入孔及び連通路を通してシリンダの下端開口部に到達してシリンダ内に流入する。
なお、吐出器の正立時及び倒立時いずれの場合であっても、容器本体内の内容液がシリンダ内に流入するときには、容器本体内が負圧となり、この負圧が外気導入弁に作用して弁部がシリンダの外周面から離反することで、容器本体内と外部とが外気導入路を通して連通し、容器本体内に外気が導入される。その後、容器本体の内圧が元に戻ると、弁部がシリンダの外周面に再び当接し、外気導入弁によって、外気導入路を通した容器本体内と外部との連通が遮断される。
【０００８】
また、本発明では、前記弁座面が、前記シリンダに上下方向に直交する径方向外側に突出するように備え付けられたパッキンの下面、または、前記シリンダに前記径方向外側に突出するように設けられた被支持部の下面であってもよい。
この場合では、弁座面がシリンダに径方向外側に突出するように形成されているので、正倒立両用アダプタを吐出器に装着させるに際して、弁部を弁座面に当接させることが容易になり、より優れたセット性を具備させることができる。
【発明の効果】
【０００９】
この発明にかかる正倒立両用アダプタによれば、吐出器に対するセット性が向上する。また、弁部によって外気導入路を通した容器本体内と外部との連通の遮断を容易かつ確実に行える。
【図面の簡単な説明】
【００１０】
【図１】本発明の一実施形態にかかる正倒立両用アダプタ及びこれを装着した吐出器を示す軸方向断面図である。
【図２】図１の吐出器を示す部分拡大図である。
【図３】同じく、図１の吐出器を示す部分拡大図である。
【図４】図１の正倒立両用アダプタを示す側面図である。
【図５】図１の正倒立両用アダプタ及び吐出器を示す部分拡大図である。
【図６】本発明にかかる正倒立両用アダプタを装着した別の吐出器を示す部分拡大断面図である。
【発明を実施するための形態】
【００１１】
以下、本発明の一実施形態にかかる正倒立両用アダプタを、図面に基づいて説明する。なお、以下の説明に用いる各図面では、各部材を認識可能な大きさとするために縮尺を適宜変更している。
【００１２】
本実施形態にかかる正倒立両用アダプタ１は、図１から図３に示すように、内容液を吐出する吐出器１００に装着されて用いられ、この吐出器１００の正立時及び倒立時の双方で、吐出器１００における後述するシリンダ１０１内の負圧時に、シリンダ１０１内に内容液を供給する構成とされている。
【００１３】
まず、正倒立両用アダプタ１が装着される吐出器１００について説明する。
吐出器１００は、容器本体１０２の口部１０２ａに取り付けられる有頂円筒状の取付キャップ１０３と、上方付勢状態で下方移動自在に配設された円筒状のステム１０４と、ステム１０４の上下動に連係する二重円筒状の縦ピストン（ピストン）１０５と、内側に縦ピストン１０５が上下摺動自在に嵌合された円筒状のシリンダ１０１と、ステム１０４の上端部に装着され、内容液の吐出孔１０６ａが形成された吐出ヘッド１０６と、吐出ヘッド１０６を押し下げるためのトリガー１０７と、を備える。
【００１４】
ここで、取付キャップ１０３、ステム１０４、縦ピストン１０５及びシリンダ１０１は、それぞれの中心軸線が共通軸上に位置する状態で配設されている。以下、この共通軸を中心軸Ｏと称し、中心軸Ｏから見た平面視で中心軸Ｏに直交する方向を径方向、中心軸Ｏ回りで周回する方向を周方向とする。さらに、径方向のうち吐出ヘッド１０６の吐出孔１０６ａが向けられる方向を前方、その逆方向を後方とし、上下方向及び前後方向に直交する方向を左右方向とする。
【００１５】
取付キャップ１０３は、図１及び図２に示すように、中央に開口部が形成された平面視で円状の天壁部１０３ａと、天壁部１０３ａの外周縁から下方に延設された円筒状の周壁部１０３ｂと、内側が天壁部１０３ａの開口部に連通された円筒状の上筒部１０３ｃと、上筒部１０３ｃの上端から上方に連設された円筒状のガイド筒部１０３ｄと、上筒部１０３ｃ及びガイド筒部１０３ｄの後方に配設されたトリガー支持部１０３ｅと、を備える。
【００１６】
トリガー支持部１０３ｅは、上筒部１０３ｃ及びガイド筒部１０３ｄの外周面から後方に向けてそれぞれ突設され、左右方向に間隔をあけて対向配置された一対の側壁部１０３ｆと、一対の側壁部１０３ｆの後端間に形成された後壁部１０３ｇと、を備える。側壁部１０３ｆの上端の後部には、上方に向けて突出する突出部１０３ｈが形成されている。突出部１０３ｈの外側面には、左右方向に延在する円柱状の揺動軸１０３ｉが突設されている。
【００１７】
ステム１０４は、ガイド筒部１０３ｄの内側に上下移動自在に挿通されている。ステム１０４の上部は、ガイド筒部１０３ｄの上端から上方に突出しており、ステム１０４の下部は、ガイド筒部１０３ｄの下端から下方に突出しており、上筒部１０３ｃ内に配置されている。また、ステム１０４の上端部には、上端が閉塞された頭部１０４ａが形成されている。頭部１０４ａの左右両側の側面には、円柱状の被押下部１０４ｂが各別に突設されている。また、頭部１０４ａには、ステム１０４内に連通するノズル連結筒部１０４ｃが前方に向けて突設されている。
ノズル連結筒部１０４ｃは、前後方向に延在する筒状をなしており、ノズル連結筒部１０４ｃの前部は、吐出ヘッド１０６内に配設されている。
縦ピストン１０５は、ステム１０４の下端部に嵌合されており、ステム１０４の上下移動に伴ってシリンダ１０１の後述するシリンダ本体部１０１ａの内周面に沿って摺動する。
【００１８】
シリンダ１０１は、有底円筒状のシリンダ本体部１０１ａと、シリンダ本体部１０１ａの上下方向の中間部から径方向外側に突設された平面視で円環状をなす板状の被支持部１０１ｂと、シリンダ本体部１０１ａの下端から下方に突設された円筒状の弁座筒部１０１ｃと、弁座筒部１０１ｃの下端から下方に突設された円筒状の接続筒部１０１ｄと、を備える。
【００１９】
シリンダ本体部１０１ａの上部は、取付キャップ１０３の上筒部１０３ｃ内に嵌合されており、シリンダ本体部１０１ａの下部は、取付キャップ１０３の周壁部１０３ｂの内側に配設されている。
被支持部１０１ｂの内周縁部とシリンダ本体部１０１ａの外周面との接続部分には、上下方向に貫き、シリンダ本体部１０１ａの外周側において、被支持部１０１ｂに対して上側に位置する部分と下側に位置する部分とを連通する連通孔１０１ｅが形成されている。
【００２０】
ここで、ステム１０４の外周面とガイド筒部１０３ｄの内周面との間の隙間、シリンダ本体部１０１ａの外周面と上筒部１０３ｃの内周面との間の隙間、及び、連通孔１０１ｅが、容器本体１０２内と外部とを連通する外気導入路Ｒを構成している。
本実施形態では、図１及び図２に示すように、被支持部１０１ｂの下面に、平面視でリング状のパッキン５０が配設されている。このパッキン５０の下面は、弁座面５０ａを構成する。パッキン５０は、連通孔１０１ｅを開放した状態で被支持部１０１ｂの下面に配設されている。
弁座筒部１０１ｃの下部は、内径及び外径が下方に向かうにしたがって漸次縮径するテーパ状をなしている。
【００２１】
また、シリンダ１０１内には、上下方向に延在する縦芯棒１０８と、縦コイルスプリング１０９と、球状の開閉弁１１０と、が配設されている。
縦芯棒１０８は、縦ピストン１０５内に挿通された棒状部材である。縦芯棒１０８の上部は、ステム１０４内に挿入されており、縦芯棒１０８の下部には、拡径部１０８ａが形成されている。この拡径部１０８ａの下端部には、シリンダ本体部１０１ａの底面に載置された複数の縦リブ部１０８ｂが周方向に間隔をあけて配設されている。
縦コイルスプリング１０９は、縦ピストン１０５と縦芯棒１０８の縦リブ部１０８ｂとの間に介装されている。
開閉弁１１０は、弁座筒部１０１ｃの内側に収容されており、弁座筒部１０１ｃ内のテーパ面に離着自在に配設されている。
【００２２】
吐出ヘッド１０６は、前後方向に延在し、前端が閉塞された筒状のノズル筒部１０６ｂと、前後方向に延在し、ノズル筒部１０６ｂ内に前後摺動自在に嵌合された二重円筒状の横ピストン１０６ｃと、前後方向に延在し、ノズル筒部１０６ｂ内に配設された横芯棒１０６ｄと、前後方向に延在し、ノズル筒部１０６ｂ内に配設された横コイルスプリング１０６ｅと、を備える。これらのノズル筒部１０６ｂ、横ピストン１０６ｃ、横芯棒１０６ｄ及び横コイルスプリング１０６ｅは、共通軸と同軸に配設されている。以下、この共通軸をノズル軸Ｏ１という。
【００２３】
ノズル筒部１０６ｂは、ノズル連結筒部１０４ｃにアンダーカット嵌合される後筒部１０６ｆと、内径が後筒部１０６ｆよりも縮径された前筒部１０６ｇと、を有し、ノズル筒部１０６ｂ内において後筒部１０６ｆと前筒部１０６ｇとの接続部分には、後方を向く段差面が形成されている。ノズル筒部１０６ｂの前筒部１０６ｇには、この段差面によって弁座１０６ｈが形成されている。また、ノズル筒部１０６ｂの前端面には、前方から見てノズル軸Ｏ１を中心とした円環状の収容溝部１０６ｉが形成されており、この収容溝部１０６ｉは、ノズル筒部１０６ｂ内に連通している。また、収容溝部１０６ｉには、前端が閉塞された円筒状の噴霧キャップ１０６ｊが取り付けられており、噴霧キャップ１０６ｊの前壁部の中央部分には、上記吐出孔１０６ａが形成されている。
【００２４】
横ピストン１０６ｃは、円筒状のノズル外筒部１０６ｋと、ノズル外筒部１０６ｋの内側に配設された円筒状のノズル内筒部１０６ｎと、を有する。
ノズル外筒部１０６ｋの前端部は、ノズル筒部１０６ｂの後筒部１０６ｆの内周面に摺接しており、ノズル外筒部１０６ｋの後端部は、ノズル連結筒部１０４ｃの前部の内周面に摺接している。
ノズル内筒部１０６ｎは、ノズル外筒部１０６ｋの前後方向の中間部分から前方に向けて延在しており、ノズル内筒部１０６ｎの前端部は、ノズル筒部１０６ｂの上記弁座１０６ｈに当接している。また、ノズル内筒部１０６ｎには、ノズル内筒部１０６ｎをノズル軸Ｏ１に直交するノズル径方向に貫通する貫通孔１０６ｐが形成されている。
【００２５】
横芯棒１０６ｄは、横ピストン１０６ｃ内に挿通された棒状部材である。横芯棒１０６ｄの後部は、ノズル連結筒部１０４ｃ内に挿入されており、横芯棒１０６ｄにおける前後方向の中間部分の外周面には、前後方向に延在する複数の横リブ部１０６ｑがノズル軸回りに間隔をあけて複数配設されている。
横コイルスプリング１０６ｅは、前後方向に延在しており、横ピストン１０６ｃのノズル内筒部１０６ｎの後端部と横芯棒１０６ｄの横リブ部１０６ｑとの間に介装されている。
【００２６】
トリガー１０７は、揺動軸１０３ｉを介してトリガー支持部１０３ｅに取り付けられており、この揺動軸１０３ｉ回りで揺動可能に設けられている。
トリガー１０７は、ステムの頭部の上方に配設された天板部１０７ａと、天板部１０７ａの後端縁から後方に向けて斜め下方に延在する後板部１０７ｂと、天板部１０７ａの前端縁から前方に向けて斜め下方に延在する前板部１０７ｃと、天板部１０７ａの左右両側の側端縁から各別に垂下された一対の側板部１０７ｄと、を備える。
【００２７】
前板部１０７ｃの上部には、上下方向に延在する長孔部１０７ｅが形成されており、この長孔部１０７ｅには、吐出ヘッド１０６のノズル筒部１０６ｂが挿通されている。また、前板部１０７ｃの下部は、指などを掛けるための指掛部分となっている。
側板部１０７ｄの内側面には、吐出ヘッド１０６を押し下げるための押下部１０７ｆが設けられている。押下部１０７ｆは、ステム１０４の頭部を左右両側から挟む一対の板状部材であり、押下部１０７ｆの下端には、ステム１０４の被押下部１０４ｂがその軸線回りに摺動可能に嵌め込まれた円弧状の押下切欠部１０７ｇが形成されている。また、側板部１０７ｄの後部には、トリガー支持部１０３ｅの揺動軸１０３ｉがその中心軸回りに摺動可能に挿通された軸孔部１０７ｈが形成されている。
【００２８】
なお、図示の例では、トリガー支持部１０３ｅに、トリガー１０７の揺動軸１０３ｉ回りの下方に向けた回転移動を規制するストッパ１１１が配設されている。
ストッパ１１１は、トリガー支持部１０３ｅに、側板部１０７ｄの押下部１０７ｆの下端に当接もしくは近接する規制位置と、押下部１０７ｆから後方に離間する解除位置と、の間を、左右方向に延びる回転軸１１１ａ回りに回転自在に支持されている。ストッパ１１１には、一対の側板部を左右方向の外側から挟む一対のツマミ片１１１ｂが突設されている。
【００２９】
続いて、正倒立両用アダプタ１について説明する。
正倒立両用アダプタ１は、図１から図３に示すように、円筒状の本体筒部１０と、吐出器１００の外気導入路Ｒを通した容器本体１０２内と外部との連通を開放自在に遮断する円筒状の外気導入弁３０と、を備える。本体筒部１０及び外気導入弁３０は、中心軸Ｏと同軸に配設されている。また、外気導入弁３０のうち本体筒部１０の上端部より上方に位置する上部の内周面とシリンダ１０１の外周面との間には、径方向の隙間が設けられている。
【００３０】
本体筒部１０は、シリンダ本体部１０１ａの下端部に外嵌された円筒状の外側筒部材１１と、上部が外側筒部材１１内に配設され、かつ下部が外側筒部材１１から下方に突出した内側筒部材１２と、上端部が内側筒部材１２の下端部内に嵌合された円筒状のパイプ１３と、を有する。これら外側筒部材１１、内側筒部材１２及びパイプ１３は、中心軸Ｏと同軸に配設されている。
【００３１】
外側筒部材１１は、上端部内にシリンダ本体部１０１ａの下端部が嵌合された円筒状の外筒部１４と、外筒部１４の上下方向の中間部分に配設され、外筒部１４の内部を上下に仕切る仕切壁部１５と、仕切壁部１５から上方に延設されると共にシリンダ１０１の接続筒部１０１ｄが連結される円筒状の取付筒部１６と、仕切壁部１５から下方に延設され、内側筒部材１２の上端部が連結される円筒状の下筒部１７と、を有する。
外筒部１４のうち仕切壁部１５よりも上側の部分における内径及び外径は、仕切壁部１５よりも下側の部分における内径及び外径よりも大径となっている。また、外筒部１４の上端部には、平面視で円環状の取付突部１８が径方向外側に向けて突設されている。なお、取付突部１８は、全周にわたって形成されている必要はなく、周方向に間隔をあけて形成された複数の突部によって構成されてもよい。
【００３２】
仕切壁部１５には、仕切壁部１５を上下方向に貫き、外筒部１４内と下筒部１７内とを連通させる通液孔１９が形成されている。
取付筒部１６は、シリンダ１０１の接続筒部１０１ｄに外嵌されている。また、取付筒部１６には、取付筒部１６の上下方向の全長にわたって延在すると共に通液孔１９に連通する切欠部２０が形成されている。
下筒部１７の上端部における外周面のうちの一部は、外筒部１４の内周面に接続され、他の部分と外筒部１４の内周面との間には径方向の隙間が設けられている。そして、外側筒部材１１には、下筒部１７の上端部における上記一部と外筒部１４とを一体に径方向に貫く倒立時導入孔２１が形成されている。
【００３３】
内側筒部材１２は、上端部が下筒部に連結された円筒状の上側筒部２２と、上側筒部２２よりも下方に配設され、かつ下部が外側筒部材から下方に突出した円筒状の下側筒部２３と、上側筒部２２と下側筒部２３とを結合する円筒状の結合筒部２４と、を有する。
上側筒部２２の上端部は、下筒部１７に外嵌されている。そして、上側筒部２２の外周面と外筒部１４の内周面との間には、図３に示すように、内容液を流通させる第１流路ｒ１が形成されている。この第１流路ｒ１は、通液孔１９に連通している。
【００３４】
上側筒部２２の下端部は、図１から図３に示すように、内径及び外径が下方に向かうにしたがって漸次縮径するテーパ状をなしており、上側筒部２２の内側には、球状の切替弁２５が配設されている。
結合筒部２４の外周面と外筒部１４の内周面との間には、図３に示すように、内容液を流通させる第２流路ｒ２が形成されている。この第２流路ｒ２は、第１流路ｒ１に連通している。結合筒部２４には、図１から図３に示すように、その内部と第２流路ｒ２とを連通させる連絡孔２６が形成されている。連絡孔２６は、結合筒部２４に周方向に間隔をあけて複数形成されている。
ここで、連絡孔２６、第２流路ｒ２、第１流路ｒ１及び通液孔１９は、後述する正立時導入孔２９及び倒立時導入孔２１と、シリンダ１０１の下端開口部と、を連通する連通路ｒを構成している。
【００３５】
下側筒部２３は、外側筒部材１１の下端部内に嵌合されている。また、下側筒部２３の上端部は、内径及び外径が上方に向かうにしたがって漸次縮径するテーパ状をなしており、下側筒部２３の内側には、球状の弁体２７が配設されている。
下側筒部２３の内周面には、径方向内側に向けて突出し、上下方向に延在する複数の上下リブ部２８が周方向に間隔をあけて形成されている。上下リブ部２８の下端部は、径方向内側に向けて突出しており、弁体２７が上下リブ部２８の下端部よりも下方に移動することを規制する。
【００３６】
パイプ１３の上端部は、下側筒部２３の下端部内に嵌合されており、パイプ１３の下端開口部は、容器本体内の底部に向けて開口する正立時導入孔２９を形成する。
【００３７】
外気導入弁３０は、円筒状の弁本体筒部３１と、弁本体筒部３１の上端部に連設された平面視で円環状の弁部３２と、を有する。
弁本体筒部３１の上下方向の中間部分における内周面には、径方向外側に向けて窪み、取付突部１８に取り付けられる取付溝部３３が全周にわたって形成されている。また、弁本体筒部３１の上端部の外径は、弁本体筒部３１の上端部よりも下側の部分における外径よりも縮径されている。
弁部３２は、上方に向かうにしたがって径方向外側に向けて延在するように傾斜している。また、弁部３２は、上下方向に弾性変形可能となっており、弁座面５０ａに対して下方に向けて離反自在に当接している。
【００３８】
上述した構成の正倒立両用アダプタ１を吐出器１００に装着させる際には、まず、吐出器１００のシリンダ１０１に対して正倒立両用アダプタ１を外気導入弁３０の弁部３２側から順に挿入していく。その後、外側筒部材１１の外筒部１４の上端部をシリンダ１０１のシリンダ本体部１０１ａの下端部に嵌め込むと共に、取付筒部１６を接続筒部１０１ｄに連結する。これにより、本体筒部１０がシリンダ１０１に取り付けられる。このとき、外気導入弁３０の弁部３２の先端部は、弁座面５０ａに対して下方から当接する。
以上のようにして、正倒立両用アダプタ１を吐出器１００に装着させる。
【００３９】
次に、上述した構成の正倒立両用アダプタ１が装着された吐出器１００の使用方法を説明する。最初に、吐出器１００を正立姿勢とした状態での吐出器１００の使用方法を説明する。
まず、ストッパ１１１のツマミ片１１１ｂを把持してストッパ１１１を回転軸１１１ａの周りに規制位置から解除位置に向けて回転させ、ストッパ１１１によるトリガー１０７の移動の規制を解除する。そして、トリガー１０７の前板部１０７ｃの上記指掛部分に指などを掛け、トリガー１０７を後方に牽引して揺動させる。トリガー１０７の揺動に伴って、押下部１０７ｆは、ノズル筒部１０６ｂの被押下部１０４ｂを下方に押圧し、ステム１０４を押し下げる。これにより、ステム１０４の下端部に嵌合されている縦ピストン１０５は、縦コイルスプリング１０９の上方付勢力に抗して、ステム１０４と共に下方移動する。そして、開閉弁１１０が弁座筒部１０１ｃ内のテーパ面に着座しているので、ステム１０４及び縦ピストン１０５の下方移動に伴って、シリンダ本体部１０１ａ内が加圧される。
【００４０】
これにより、シリンダ本体部１０１ａ内の内容液は、シリンダ本体部１０１ａと縦芯棒１０８との間、縦ピストン１０５と縦芯棒１０８との間、及び、ステム１０４と縦芯棒１０８との間、を通って、ノズル連結筒部１０４ｃ内に流入する。ノズル連結筒部１０４ｃ内に流入した内容液は、ノズル連結筒部１０４ｃと横芯棒１０６ｄとの間を通って、外筒部１４とノズル内筒部１０６ｎとの間に流入する。これにより、横ピストン１０６ｃは、横コイルスプリング１０６ｅの前方付勢力に抗して後方移動し、ノズル内筒部１０６ｎの前端部は、ノズル筒部１０６ｂの弁座１０６ｈから離間する。そして、内容液は、吐出孔１０６ａから吐出される。内容液を吐出すると、横ピストン１０６ｃは、横コイルスプリング１０６ｅの前方付勢力によって前方移動し、ノズル内筒部１０６ｎの前端部は、ノズル筒部１０６ｂの弁座１０６ｈに着座する。
【００４１】
トリガー１０７の牽引を解除すると、縦コイルスプリング１０９の上方付勢力によってステム１０４及び縦ピストン１０５が上昇する。これにより、シリンダ本体部１０１ａ内が減圧され、開閉弁１１０が弁座筒部１０１ｃ内のテーパ面から浮上して接続筒部１０１ｄ内が開放され、接続筒部１０１ｄ内が負圧となる。
ここで、吐出器１００が正立姿勢にあるので、切替弁２５は、上側筒部２２のテーパ面上に着座し、倒立時導入孔２１と連通路ｒとの連通を遮断する。一方、弁体２７は、下側筒部２３の上下リブ部２８の上端縁に着座しているが、上下リブ部２８間の間隙を通して、正立時導入孔２９と連通路ｒを連通させている。
【００４２】
上述したように接続筒部１０１ｄ内が負圧となっているため、容器本体１０２内の内容液は、正立時導入孔２９から吸い込まれ、パイプ１３及び下側筒部２３の内側を通って結合筒部２４の連絡孔２６から第２及び第１流路ｒ２、ｒ１を介して外側筒部材１１の下筒部１７内に流入する。そして、内容液は、仕切壁部１５の通液孔１９及びシリンダ１０１の接続筒部１０１ｄを通って、弁座筒部１０１ｃからシリンダ本体部１０１ａ内に流入する。
【００４３】
また、内容液が吸い込まれることによって容器本体１０２内が負圧となるので、外気導入弁３０の弁部３２は、パッキン５０の下面に形成されている弁座面５０ａから下方に向けて弾性変形して離間し、連通孔１０１ｅを開放させる。これにより、外気導入路Ｒが開放されて容器本体１０２内と外部とが連通し、外部の空気が容器本体１０２内に導入され、容器本体１０２の内部が大気圧に戻る。
【００４４】
続いて、吐出器１００を倒立姿勢とした状態での吐出器１００の使用方法を説明する。吐出器１００が倒立姿勢にある場合でも、上述のように吐出器１００が正立姿勢にある場合と同様に、内容液が吐出孔１０６ａから吐出される。そして、トリガー１０７の牽引を解除すると、接続筒部１０１ｄ内が負圧となる。
吐出器１００が倒立姿勢にあるので、切替弁２５は、上側筒部２２のテーパ面上から離間し、倒立時導入孔２１と連絡孔２６とを連通させる。一方、弁体２７は、下側筒部２３のテーパ面上に着座し、正立時導入孔２９と連絡孔２６との連通を遮断する。
【００４５】
容器本体１０２内の内容液は、倒立時導入孔２１から吸い込まれ、上側筒部２２の内側を通って結合筒部２４の連絡孔２６から第２及び第１流路ｒ２、ｒ１を介して外側筒部材１１の下筒部１７内に流入する。そして、内容液は、仕切壁部１５の通液孔１９及びシリンダ１０１の接続筒部１０１ｄを通って、弁座筒部１０１ｃからシリンダ本体部１０１ａ内に流入する。
また、内容液が吸い込まれることによって容器本体１０２内が負圧となるので、外気導入弁３０の弁部３２は、吐出器１００が正立姿勢にあるときと同様に、パッキン５０の下面に形成されている弁座面５０ａから下方に向けて弾性変形して離間し、連通孔１０１ｅを開放させる。これにより、外気導入路Ｒが開放されて容器本体１０２内と外部とが連通し、外部の空気が容器本体１０２内に導入され、容器本体１０２の内部が大気圧に戻る。
以上のようにして、正倒立両用アダプタ１が装着された吐出器１００から内容液を吐出させる。
【００４６】
以上のような構成の正倒立両用アダプタ１によれば、本体筒部１０及び外気導入弁３０が組み付けられた正倒立両用アダプタ１の全体を吐出器１００のシリンダ１０１に対して移動させることが可能となるので、優れたセット性を具備させることができる。ここで、シリンダ本体部１０１ａに対して径方向外側に突出するように設けられたパッキン５０の下面を弁座面５０ａとしているので、正倒立両用アダプタ１を吐出器１００のシリンダ１０１に対して移動させる際に弁部３２を弁座面５０ａに当接させることが容易となり、より優れたセット性を具備させることができる。
また、弁部３２によって、外気導入路Ｒを通した容器本体１０２内と外部との連通の遮断を容易かつ確実に行える。
【００４７】
なお、本発明は上記実施形態に限定されるものではなく、本発明の趣旨を逸脱しない範囲において種々の変更を加えることができる。
例えば、正倒立両用アダプタは、図６に示すような吐出器２００に装着されてもよい。
この吐出器２００の被支持部２００ａは、外周縁部における上下方向の厚さが外周縁部よりも内側における上下方向の厚さよりも下方から薄くされており、パッキン２１０がこの薄肉部分に配設されている。また、被支持部２００ａの内周縁部とシリンダ本体部１０１ａの外周面との接続部分には、上下方向に貫き、シリンダ本体部１０１ａの外周側において被支持部２００ａに対して上側に位置する部分と下側に位置する部分とを連通する連通孔１０１ｅが形成されている。この被支持部２００ａの内周縁部の下面は、弁座面２００ｂを構成する。
外気導入弁３０の弁部３２は、弁座面２００ｂに対して下方に向けて離反自在に当接している。
【００４８】
また、弁体やパッキンが設けられていなくてもよい。
弁座面は、パッキンの下面や被支持部の下面に限られない。
外気導入弁は、本体筒部に外嵌されていれば、本体筒部の上端部以外の箇所に外嵌されてもよい。
外気導入弁は、弁本体筒部に形成された取付溝部を取付突部に取り付けることによって本体筒部に外嵌されているが、例えば本体筒部に取付溝部を形成すると共に弁本体筒部に取付突部を形成するなど、他の構成によって本体筒部に外嵌されてもよい。
本体筒部は、外側筒部材、内側筒部材及びパイプを備えており、これらが別体として形成されているが、例えば一体的に形成されてもよく、一部の部材を一体的に形成してもよい。
本体筒部の外側筒部材は、シリンダ本体に外嵌されているが、外側筒部材内を流通する内容液がシリンダ内に流入できれば、他の形状であってもよい。
本体筒部は、パイプを備えているが、可撓性を有するチューブなど、他の部材を備えてもよく、内側筒部材にパイプを接続しない構成としてもよい。この場合、内側筒部材の下端開口部が正立時導入孔として構成される。
ストッパが設けられていなくてもよい。
吐出ヘッドは、例えば、横ピストンや横芯棒、横コイルスプリングが設けられていない他の構造であってもよい。
外気導入路は、ステムの外周面とガイド筒部の内周面との間の隙間、シリンダの外周面と上筒部の内周面との間の隙間、及び連通孔によって構成されているが、これに替えて、取付キャップに貫通孔を形成してこの貫通孔によって外気導入路を構成するなど、外気導入路の形態を適宜変更してもよい。
吐出器は、トリガーを操作することで吐出ヘッドやステムをシリンダに対して押し込む構成となっているが、トリガーを有さずに、吐出ヘッドやステムを直接、操作する構成であってもよい。
【産業上の利用可能性】
【００４９】
この発明によれば、吐出器に対するセット性を向上させた正倒立両用アダプタに関して、産業上の利用可能性が認められる。
【符号の説明】
【００５０】
１  正倒立両用アダプタ、１０  本体筒部、２１  倒立時導入孔、２５  切替弁、２９  正立時導入孔、３０  外気導入弁、３２  弁部、５０ａ，２００ｂ  弁座面、１００，２００  吐出器、１０１  シリンダ、１０２  容器本体、１０２ａ  口部、１０３  取付キャップ、１０４  ステム、１０５  縦ピストン（ピストン）、１０６  吐出ヘッド、１０６ａ  吐出孔、ｒ  連通路、Ｒ  外気導入路
【図１】
0006446344.tif 000002
【図２】
0006446344.tif 000003
【図３】
0006446344.tif 000004
【図４】
0006446344.tif 000005
【図５】
0006446344.tif 000006
【図６】
0006446344.tif 000007